(57)【要約】  本開示の一態様は、車両の駐車を支援するように構成された駐車支援装置であって、駐車場内で、当該駐車支援装置が生成する誘導経路に従って自動運転を実施可能に構成された複数の車両を複数の自動運転車両として、前記複数の自動運転車両のそれぞれについて、他の自動運転車両の誘導経路と重複しないように前記誘導経路をそれぞれ生成するように構成された経路生成部（Ｓ２２）と、前記誘導経路が生成されると、当該誘導経路で走行する自動運転車両に当該誘導経路を送信するように構成された経路送信部（Ｓ２３）と、を備える。
2021020092.tif 000002
【特許請求の範囲】
【請求項１】
車両の駐車を支援するように構成された駐車支援装置（３９）であって、
駐車場内で、当該駐車支援装置が生成する誘導経路に従って自動運転を実施可能に構成された複数の車両を複数の自動運転車両（１８）として、
前記複数の自動運転車両のそれぞれについて、他の自動運転車両の誘導経路と重複しないように前記誘導経路をそれぞれ生成するように構成された経路生成部（４７Ａ：Ｓ２２）と、
前記誘導経路が生成されると、当該誘導経路で走行する自動運転車両に当該誘導経路を送信するように構成された経路送信部（４７Ｂ：Ｓ２３）と、
を備える駐車支援装置。
【請求項２】
請求項１に記載の駐車支援装置であって、
既に生成された他の自動運転車両の誘導経路を第１誘導経路として、
前記経路生成部は、新たに駐車の支援を要求された自動運転車両に対する誘導経路について、前記第１誘導経路と重複しない誘導経路である第２誘導経路を生成する
ように構成された駐車支援装置。
【請求項３】
請求項２に記載の駐車支援装置であって、
前記他の自動運転車両が走行し終えた第１誘導経路を、前記第１誘導経路から除外するように構成された経路除外部（４７Ｃ：Ｓ３５）をさらに備え、
前記経路生成部は、前記第２誘導経路を生成できない場合、再度、前記第２誘導経路を生成する
ように構成された駐車支援装置。
【請求項４】
請求項３に記載の駐車支援装置であって、
前記複数の自動運転車両の位置情報を繰り返し受信するように構成された位置取得部（４７Ｄ：Ｓ２４）、
をさらに備え、
前記経路除外部は、前記位置情報に基づいて、前記第１誘導経路のうちの前記他の自動運転車両が走行し終えた部分を特定し、該部分を前記第１誘導経路から除外する
ように構成された駐車支援装置。
【請求項５】
請求項２〜請求項４の何れか１項に記載の駐車支援装置であって、
前記経路生成部は、前記駐車場内における複数の通路の位置が含まれる地図情報において、前記第１誘導経路に設定された通路を走行できない通路として設定し、前記走行できない通路を利用しないように前記第２誘導経路を設定する
ように構成された駐車支援装置。
【請求項６】
請求項１に記載の駐車支援装置であって、
前記駐車場は、ユーザが前記自動運転車両より降車する降車エリア、前記自動運転車両が駐車される駐車エリア、ユーザが前記自動運転車両に乗車する乗車エリアを含み、
前記経路生成部は、
前記自動運転車両が前記降車エリアから前記駐車エリアへの自動運転を開始する前に、前記他の自動運転車両の誘導経路とは重複しない、前記自動運転車両の誘導経路を生成し、該生成した誘導経路を前記自動運転車両に送信する
ように構成された駐車支援装置。
【請求項７】
請求項６に記載の駐車支援装置であって、
前記経路生成部は、前記自動運転車両が前記駐車エリアから前記乗車エリアへの自動運転を開始する前に、前記他の自動運転車両の誘導経路とは重複しない、前記自動運転車両の誘導経路を生成し、該生成した誘導経路を前記自動運転車両に送信する、
ように構成された駐車支援装置。
【請求項８】
請求項１に記載の駐車支援装置であって、
前記複数の自動運転車両は、第１車両と第２車両とを含み、
前記第１車両に対する誘導経路が生成されたのちに、前記第２車両が駐車の支援を要求した場合、前記経路生成部は、前記第１車両に対する誘導経路を変更することなく、前記第２車両の誘導経路が、前記第１車両に対する誘導経路と重複しないように生成する
ように構成された駐車支援装置。
【請求項９】
請求項２〜請求項４の何れか１項に記載の駐車支援装置であって、
前記駐車場の地図情報を記憶するように構成されたメモリをさらに備え、
前記メモリに記憶された地図情報には、前記駐車場の通路毎に誘導経路として利用可能か否かが対応付けられ、
前記経路生成部は、前記第１誘導経路に含まれる通路を利用不可能に設定し、前記駐車場の通路のうち、前記第１誘導経路に含まれない通路を利用可能に設定し、
前記経路生成部は、利用可能と設定される通路のみによって前記第２誘導経路を生成する
ように構成された駐車支援装置。
【請求項１０】
車両の駐車を支援するように構成された駐車支援装置（３９）が実行する駐車支援方法であって、
駐車場内で、当該駐車支援装置が生成する誘導経路に従って自動運転を実施可能に構成された複数の車両を複数の自動運転車両（１８）として、
前記複数の自動運転車両のそれぞれについて、他の自動運転車両の誘導経路と重複しないように前記誘導経路をそれぞれ生成し（Ｓ２２）、
前記誘導経路が生成されると、当該誘導経路で走行する自動運転車両に当該誘導経路を送信する（４７Ｂ：Ｓ２３）、
駐車支援方法。
【発明の詳細な説明】
【関連出願の相互参照】
【０００１】
本国際出願は、２０１９年７月２６日に日本国特許庁に出願された日本国特許出願第２０１９−１３８００３号に基づく優先権、及び２０１９年９月３０日に日本国特許庁に出願された日本国特許出願第２０１９−１７９９６６号に基づく優先権を主張するものであり、日本国特許出願第２０１９−１３８００３号及び２０１９−１７９９６６号の全内容を本国際出願に参照により援用する。
【技術分野】
【０００２】
本開示は、駐車場において自動運転車両による駐車を支援するように構成された駐車支援装置、及び駐車支援装置が実行する駐車支援方法に関する。
【背景技術】
【０００３】
例えば、下記特許文献１には、駐車場内の空き駐車スペースまでの走行経路を自動的に決定する管理装置であって、自動運転車両の自動運転機能を利用して、自動運転車両を乗降エリアと駐車スペースとの間で誘導する技術が提案されている。
【先行技術文献】
【特許文献】
【０００４】
【特許文献１】特開２０１１−０５４１１６号公報
【発明の概要】
【０００５】
しかしながら、発明者の詳細な検討の結果、例えば通信遅延等により管理装置が正確に自動運転車両の位置を把握できない場合、複数の自動運転車両を安全に誘導できなくなる可能性があるという課題が見出された。実際の自動運転車両の現在地と管理装置が把握している位置情報とに乖離が生じるためである。
【０００６】
本開示の１つの局面は、駐車場において自動運転車両による駐車を支援するように構成された駐車支援装置において、より安全に自動運転車両を誘導できるようにすることにある。
【０００７】
本開示の一態様は、車両の駐車を支援するように構成された駐車支援装置である。駐車場内で、当該駐車支援装置が生成する誘導経路に従って自動運転を実施可能に構成された複数の車両を複数の自動運転車両とする。駐車支援装置は、経路生成部と、経路送信部と、を備える。
【０００８】
経路生成部は、複数の自動運転車両のそれぞれについて、他の自動運転車両の誘導経路と重複しないように誘導経路をそれぞれ生成するように構成される。経路送信部は、誘導経路が生成されると、当該誘導経路で走行する自動運転車両に当該誘導経路を送信するように構成される。
【０００９】
このような構成によれば、誘導経路を生成する際に、他の自動運転車両の誘導経路と重複しないようにするので、より安全に自動運転車両を誘導することができる。
【図面の簡単な説明】
【００１０】
【図１】駐車支援システムの構成を示すブロック図である。
【図２】駐車場の一例を示す平面図である。
【図３】入出庫フローチャートの一例である。
【図４】走行ルート生成フローチャートの一例である。
【図５】駐車場の平面図である。
【図６】駐車支援システムの構成を示すブロック図である。
【図７】管理装置の制御部における機能ブロック図である。
【図８】管理装置が実行する駐車設定処理のフローチャートである。
【図９】駐車設定処理のうちの非重複入庫処理のフローチャートである。
【図１０】自動運転車両が実行する自動駐車処理のフローチャートである。
【図１１】管理装置が実行する出庫設定処理のフローチャートである。
【図１２】出庫設定処理のうちの非重複出庫処理のフローチャートである。
【図１３】自動運転車両が実行する自動出庫処理のフローチャートである。
【図１４Ａ】駐車場内の通路が全て利用可能な場合を概念的に示す図である。
【図１４Ｂ】他の車両が駐車場内を走行中である場合の利用可能な通路を概念的に示す図である。
【図１４Ｃ】非重複な誘導経路が設定されたときの、通路が利用可能か否かを概念的に示す図である。
【図１４Ｄ】走行済経路の解放を概念的に示す図である。
【発明を実施するための形態】
【００１１】
以下、図面を参照しながら、本開示の実施形態を説明する。
【００１２】
［１．概要］
まず、本開示の概要を説明する。
【００１３】
≪システム構成図≫
（１）管理センタ（管理装置３９）は、図１に示すように、車両の駐車を管理するサーバであり、駐車場内の空き駐車スペースまでの走行経路を決定する。管理センタは、駐車場インフラ、要求端末、自動運転車両と無線通信可能に構成される。管理センタは、コンピュータ（ＣＰＵ）、メモリを有する。管理センタは、制御部、駐車場管理部、走行経路算出部、優先判断部、通信部、目標位置選定部、記憶部を有する。記憶部には、駐車場の内部の地図情報が記憶されている。
【００１４】
（２）駐車場インフラは、駐車場に設けられたインフラ設備である。駐車場インフラは、カメラ、センサ、ゲート、通信部を有する。
【００１５】
（３）自動運転車両は、管理センタとの通信に基づいて駐車場における自動駐車を行う車両である。自動運転車両は、コンピュータ（ＣＰＵ）、メモリを有する。自動運転車両は、制御部、センサ群、状態取得部、通信部、位置情報取得部を有する。
【００１６】
（４）要求端末は、駐車場に設置された操作端末又はユーザが所有する携帯端末であり、ユーザ操作に基づき、入庫要求や出庫要求を管理センタへ送信する。要求端末は、コンピュータ（ＣＰＵ）、メモリを有する。要求端末は、制御部、入出庫要求部、通信部を有する。
【００１７】
≪駐車場構成図≫
（１）車両Ａは、図２に示すように、入庫車室から経路Ａ１を通り目標駐車位置へ移動する自動運転車両である。
【００１８】
（２）車両Ｂは、駐車スペースの所定位置から経路Ｂ１を通り出庫車室へ移動する自動運転車両である。
【００１９】
（３）車両Ｃは、駐車スペースの所定位置から経路Ｃ１を通り出庫車室へ移動する自動運転車両である。
【００２０】
（４）管理センタは、車両Ａ,Ｂ,Ｃに対しての走行経路を生成し、各車両へ送信する。ここで、管理センタは、他の自動運転車両の走行経路と重複しないよう走行経路を生成し、自動運転車両へ送信する。例えば、管理センタは、車両Ａに関し、経路Ａ１は経路Ｂ１及びＣ１と重複するため採用せず、経路Ａ２を生成し、車両Ａへ送信する。管理センタは、車両Ｃに関し、経路Ｃ１は経路Ａ１及び経路Ｂ１と重複するため採用せず、経路Ｃ２を生成し、車両Ｃへ送信する。
【００２１】
（５）管理センタは、重複しない走行経路を生成するために、駐車場内の他車両の走行経路を読み込み、他車両の走行経路は走行不可能とし駐車場地図の走行可能経路を絞り込む。走行可能経路内から所定の基準に基づき走行経路を生成する。走行可能経路内で走行経路が生成できなかった場合は所定の時間待機し、再度走行経路を生成する。
【００２２】
≪入出庫フローチャート≫
（１）管理センタ（管制）は、図３に示すように、要求端末からの入出庫要求を受信すると、自動運転車両へ地図を送信する。自動運転車両は、管理センタから送信された地図を受信し、記憶する。管理センタは、自動運転車両の目標位置を選定する。
【００２３】
管理センタは、入庫車両に対しては、空き駐車スペースを目標位置として選定する。管理センタは、出庫車両に対しては、出庫車室を目標位置として選定する。管理センタは、目標位置までの走行ルート（走行経路）を生成する走行ルート生成処理を行う。
【００２４】
ここで、管理センタは、他車両の走行ルートとの重複しない走行ルートを生成する。管理センタは、生成した走行ルートを自動運転車両へ送信する。自動運転車両は、管理センタから送信された走行ルートを受信し、記憶する。そして、自動運転車両は、現在位置等のデータを管理センタへ送信しつつ、自動バレー駐車を実行する。
【００２５】
（２）自動運転車両は、自動バレー駐車実行中に、位置情報や周辺情報を管理センタへ送信する。管理センタは、自動運転車両から送信された位置情報や周辺情報に基づいて、地図情報を更新する処理を行う。例えば、管理センタは、先に移動していた自動運転車両が走行し終わった経路について、走行ルートを解放する。管理センタは、目標位置を変更し、自動運転車両へ通知する処理を行う。そして、自動運転車両は、新たな目標位置に基づいて、自動バレー駐車を実行する。
【００２６】
（３）目標位置に自動運転車両が到着し、自動バレー駐車が終了すると、自動運転車両は、管理センタ及び要求端末へ、入出庫完了通知を送信する。
【００２７】
≪走行ルート生成フローチャート≫
（１）管理センタ（管制）は、図４に示すように、自動バレー駐車実行中の他車両の走行ルートを読み込む。管理センタは、他車両の走行ルートを走行不可ルートとし、それ以外のルートを走行可能ルートとなるよう、地図情報の走行可能ルートへの反映を行う。管理センタは、自動運転車両の現在位置から目標位置までの走行ルートを生成する。
【００２８】
ここで生成される走行ルートは、他車両の走行ルートと重複しない走行ルートである。管理センタは、地図情報における走行可能ルートを用いて目標位置までの走行ルートが生成できた場合、その走行ルートを登録する。一方、管理センタは、地図情報における走行可能ルートを用いて目標位置までの走行ルートが生成できない場合、所定期間待機し、先頭の処理（他車両の走行ルート読み込み）へ戻る。
【００２９】
［２．実施形態］
上記概要に対応する詳細な実施形態の一例について以下に説明する。
【００３０】
［２−１．駐車支援システム１の構成］
駐車支援システム１の構成を、図５〜図７に基づき説明する。図５に示すように、駐車支援システム１は、ユーザが降車する領域である降車エリアに設定された入庫車室３と、ユーザが乗車する領域である乗車エリアに設定された出庫車室５と、駐車場７と、を備える。なお、以下では、入庫車室３、出庫車室５、及び駐車場７を含む領域を、当該駐車場とも表記する。
【００３１】
入庫車室３及び出庫車室５には、複数の区画がそれぞれ設けられている。入庫車室３は、入口１５を介して、駐車支援システム１の外部と接続している。自動運転車両１８は、外部から、入口１５を通り、入庫車室３に入ることができる。自動運転車両１８は、自動バレー駐車機能を備える。
【００３２】
なお、自動運転車両１８は、当該駐車場内での自動バレー駐車機能が実施できればよく、当該駐車場外で自動運転を行う機能を備える必要はない。また、自動バレー駐車機能は、自動運転により、入庫車室３から駐車場７における駐車位置に走行し、駐車する機能と、駐車場７における駐車位置から出庫車室５に走行する機能とを含む。
【００３３】
自動バレー駐車機能は、特に、繰り返し、自動運転車両１８の位置情報を取得し、本開示の駐車支援装置である管理装置３９に送信する機能、並びに、管理装置３９から誘導経路を受け取り、誘導経路に従って自動運転車両１８を制御し、走行する機能を含む。なお、自動運転車両１８の位置情報とは、自動運転車両１８の現在地の推定結果を示し、例えば、当該駐車場の領域内での座標値を含む。
【００３４】
入庫車室３及び出庫車室５は、店舗等の施設２２の入口２３と隣接している。入庫車室３に入庫した自動運転車両１８の乗員は、自動運転車両１８から降り、徒歩で入口２３に進むことができる。
【００３５】
出庫車室５は、出口２７を介して、駐車支援システム１の外部と接続している。自動運転車両１８は、出庫車室５から、出口２７を通り、駐車支援システム１の外部に進むことができる。出庫車室５は、入口２３と隣接している。乗員は、入口２３から、徒歩で出庫車室５に進むことができる。
【００３６】
駐車場７は、複数の自動運転車両１８を駐車可能な場所である。駐車場７の内部に、複数の区画が設けられている。駐車場７における複数の区画の周囲には、自動運転車両１８が通過可能な複数の通路が設定される。駐車場７は、複数の区画を有する複数のグループを備え、グループ毎に複数の区画が集合して配置される。複数のグループは、通路を隔てて配置される。駐車場７は、Ｔ字路及び十字路を含む交差点を多数備え、複数の通路は交差点で接続される。
【００３７】
このような構成の駐車場７では、目標位置まで誘導経路を少なくとも２通り以上設定できる。さらに複数のグループ毎に入庫車室３、出庫車室５、及び駐車場７に設けられたそれぞれの区画は、１台の自動運転車両１８を駐車可能な領域である。
【００３８】
自動運転車両１８は、入庫車室３から、駐車場７へ走行可能である。自動運転車両１８は、駐車場７から、出庫車室５へ走行可能である。
【００３９】
図６に示すように、駐車支援システム１は、管理装置３９と、インフラ４１と、端末装置４３と、を備える。
【００４０】
管理装置３９は、制御部４７と、通信部４９と、を備える。制御部４７は、ＣＰＵ５１と、例えば、ＲＡＭ又はＲＯＭ等の半導体メモリ（以下、メモリ５３とする）と、を有するマイクロコンピュータを備える。
【００４１】
制御部４７の各機能は、ＣＰＵ５１が非遷移的実体的記録媒体に格納されたプログラムを実行することにより実現される。この例では、メモリ５３が、プログラムを格納した非遷移的実体的記録媒体に該当する。また、このプログラムが実行されることで、プログラムに対応する方法が実行される。なお、制御部４７は、１つのマイクロコンピュータを備えてもよいし、複数のマイクロコンピュータを備えてもよい。
【００４２】
制御部４７は、自動運転車両１８に対して目標位置までの誘導経路を送信するための構成を備える。制御部４７は、例えば、図７に示すように、経路生成部４７Ａと、経路送信部４７Ｂと、経路除外部４７Ｃと、位置取得部４７Ｄと、を備える。制御部４７を構成する各部４７Ａ〜４７Ｄの作動については後述する。
【００４３】
メモリ５３には、当該駐車場の地図情報が記憶されている。また、地図情報は、駐車場７における区画の状態を表す情報を含む。区画の状態として、空いている状態（以下では空き状態とする）と、自動運転車両１８によって占められている状態（以下では占有状態とする）とがある。通信部４９は、自動運転車両１８と通信を行うことができる。
【００４４】
インフラ４１は、駐車支援システム１の内部の状況を表す情報（以下では駐車場内情報とする）を取得し、駐車場内情報を管理装置３９に供給するものを含む。インフラ４１は、駐車支援システム１の内部を撮影するカメラ、ライダー等を含む。
【００４５】
駐車場内情報として、例えば、障害物の位置を表す情報、駐車場７における区画の状態を表す情報、駐車支援システム１の内部に存在する自動運転車両１８の位置情報等が挙げられる。
【００４６】
端末装置４３は、図５に示すように、入庫車室３の付近に設置されている。端末装置４３は、ユーザによる入力操作を受け付ける。端末装置４３は、入力操作に応じた信号を管理装置３９に出力する。
【００４７】
端末装置４３は、ユーザによる自動運転車両１８の入庫の意思である入力操作、例えば駐車要求に応じて、駐車要求信号を出力する。駐車要求信号とは、入庫車室３にある自動運転車両１８を、駐車場７に搬送し、駐車することを要求する信号である。また、端末装置４３は、入力操作に応じた信号を管理装置３９に出力するに際して、自動運転車両１８の識別情報等を出力する。
【００４８】
また、端末装置４３は、ユーザによる自動運転車両１８の出庫の意思である入力操作、例えば出庫要求に応じて、出庫要求信号を出力する。出庫要求信号とは、駐車場７に駐車されている自動運転車両１８を、出庫車室５に搬送することを要求する信号である。
【００４９】
また、端末装置４３は、例えば、入力操作に応じて、自動運転車両１８の識別情報を出力する。識別情報とは、例えば、自動運転車両１８を一意に特定するためのナンバプレート等の情報である。
【００５０】
なお、端末装置４３は、駐車要求信号の出力後、自動運転車両１８が駐車場７に到着する前に、出庫の意思である入力操作を受け付けることができる。また、端末装置４３は、出庫要求信号の出力後、自動運転車両１８が出庫車室５に到着する前に、入庫の意思である入力操作を受け付けることができる。
【００５１】
自動運転車両１８は、前述したように、自動バレー駐車機能を備える。図６に示すように、複数の自動運転車両１８は、それぞれ、制御部６９と、センサ群７１と、位置情報取得部７３と、通信部７５と、を備える。制御部６９は、自動運転車両１８の各部を制御する。自動運転の機能は、制御部６９が行う制御により実現される。自動運転車両１８は、管理装置３９から、当該駐車場の地図情報、及び誘導経路を取得し、自動運転を行うとき、当該駐車場の地図情報、及び誘導経路を使用する。
【００５２】
センサ群７１は、自動運転車両１８の周辺の状況を表す周辺情報を取得する。周辺情報の内容として、例えば、自動運転車両１８の周辺に存在する障害物の位置等が挙げられる。センサ群７１は、例えば、カメラ、ライダー等を含む。自動運転車両１８は、自動運転を行うとき、周辺情報を使用する。
【００５３】
位置情報取得部７３は、自動運転車両１８の位置情報を取得する。位置情報取得部７３は、例えば、ライダーと地図とによる位置推定システムである。自動運転車両１８は、自動運転を行うとき、位置情報を使用する。通信部７５は、管理装置３９と通信を行うことができる。
【００５４】
［２−２．処理］
［２−２−１．管理装置３９が実行する駐車設定処理］
管理装置３９が実行する駐車設定処理を、図８を用いて説明する。駐車設定処理は、例えば、管理装置３９の電源が投入されると開始され、その後、繰り返し実行される処理である。なお、本処理のうちのＳ２以降の処理は、駐車要求があった自動運転車両１８毎に実行される。
【００５５】
管理装置３９の経路生成部４７Ａは、図９に示す駐車設定処理のステップ（以下「Ｓ」とする）１で、駐車要求信号を受信したか否かを判定する。駐車要求信号を受信していなければ、本処理はＳ１を繰り返す。駐車要求信号を受信した場合、本処理はＳ２に移行する。
【００５６】
ここで、自動運転車両１８の乗員等のユーザが端末装置４３を操作することで駐車要求を入力すると、端末装置４３は、この入力に対応する駐車要求信号を管理装置３９に送信する。この際、ユーザは、車両を特定するためのナンバプレート等の車両情報、ユーザを特定するためのユーザＩＤ、パスワード等のユーザ情報、その他、必要な情報を端末装置４３に対して入力する。
【００５７】
端末装置４３が操作された場合には、当該端末装置４３を特定するための識別ＩＤ等の固有情報、車両情報、ユーザ情報等が管理装置３９に送信される。ユーザは、駐車要求の操作後、当該駐車場から離れて目的地へ向かうことができる。
【００５８】
続いて、経路生成部４７Ａは、Ｓ２で、当該駐車場の地図情報を自動運転車両１８に送信する。つまり、経路生成部４７Ａは、端末装置４３でユーザが駐車開始する旨の入力を行うと、当該駐車場の地図情報を自動運転車両１８に送信する。
【００５９】
地図情報を受けた自動運転車両１８は、後述するように位置情報及び車両状態を返すように設定されている。そこで、経路生成部４７Ａは、Ｓ３で、自動運転車両１８から送信された位置情報を受信する。
【００６０】
続いて、制御部４７はＳ１０で、非重複入庫処理を実施する。非重複入庫処理は、他の自動運転車両１８に設定された誘導経路、すなわち、本開示の第１誘導経路と重複しない誘導経路、すなわち、本開示の第２誘導経路を生成し、この誘導経路で当該自動運転車両１８を駐車位置まで移動させる処理である。非重複入庫処理が終了すると、管理装置３９は、駐車設定処理を終了する。
【００６１】
ここで、「重複しない」とは、複数の誘導経路が、交差及び接触しないことを示す。誘導経路の設定は、複数の自動運転車両１８の接触を回避することが目的である。このため、複数の誘導経路が接触しないとしても、複数の自動運転車両１８が接触する可能性がある場合には、制御部４７は複数の誘導経路が接触すると判定する。
【００６２】
なお、誘導経路は、前述の駐車設定処理、及び後述の出庫設定処理でそれぞれ設定され、互いに影響を及ぼす。つまり、駐車設定処理では、出庫設定処理で設定される誘導経路を避けて他の誘導経路が設定され、出庫設定処理では、駐車設定処理で設定される誘導経路を避けて他の誘導経路が設定される。
【００６３】
［２−２−２．非重複入庫処理］
管理装置３９が実行する非重複入庫処理を、図９を用いて説明する。非重複入庫処理では、まず、Ｓ２１で、管理装置３９の経路生成部４７Ａは、目標位置、ここでは駐車位置を選定する。
【００６４】
駐車位置としては、駐車場７における、空きの状態である区画が選定される。経路生成部４７Ａは、例えば、以下のようにして、それぞれの区画の状態を判定する。自動運転車両１８は、ある区画に駐車するとき、その区画の識別情報と、駐車開始の情報とを管理装置３９に送る。また、自動運転車両１８は、それまで駐車していた区画から出るとき、その区画の識別情報と、駐車終了の情報とを管理装置３９に送る。
【００６５】
経路生成部４７Ａは、自動運転車両１８から送られた情報の履歴に基づき、それぞれの区画の状態を判定する。また、経路生成部４７Ａは、インフラ４１が供給する情報に基づき、それぞれの区画の状態を判定してもよい。
【００６６】
空きの状態である区画が１のみである場合、経路生成部４７Ａは、その区画を駐車位置とする。空きの状態である区画が複数である場合、経路生成部４７Ａは、所定の基準に基づき、空きの状態である複数の区画の中から、１つの区画を駐車位置として選定する。基準として、例えば、入庫車室３に最も近い区画を選定するという基準、出庫車室５に最も近い区画を選定するという基準、空きの状態である区画が集まっているエリアにある区画を選定するという基準等がある。
【００６７】
Ｓ２２では、経路生成部４７Ａは、当該駐車場の地図情報を用いて誘導経路を設定する。誘導経路の設定は、自動運転車両１８が駐車位置までの自動運転を開始する前、つまり、自動運転車両１８の停車中に実施される。ここでは、経路生成部４７Ａは、自動運転車両１８が自走するための誘導経路であって、自動運転車両１８の現在地から、前記Ｓ２１で選定した駐車位置までの経路を設定する。
【００６８】
ただし、既に他の自動運転車両１８に対する誘導経路に誘導経路が存在する場合には、経路生成部４７Ａは、その誘導経路を避けて当該自動運転車両１８の誘導経路を設定する。つまり、ここでの誘導経路は、他の自動運転車両１８の誘導経路との重複を避けて設定される。
【００６９】
例えば、図５に示すように、誘導経路Ａ１を設定しようとする場合、先に、Ｂ１及びＢ２に示す誘導経路が設定されると、Ａ１を設定できない。この場合、誘導経路Ｂ１及びＢ２を避けて、例えばＡ２が設定され、誘導経路Ａ２での誘導が開始される。なお、Ａ２は、Ｂ３とも重複しないように設定される。
【００７０】
ここで、メモリ５３にて格納されている当該駐車場における地図情報には、通路毎に誘導経路として利用可能か否かが対応付けられている。なお、ある通路に複数の車線が存在する場合には、車線毎に誘導経路として利用可能か否かが対応付けられてもよい。
【００７１】
そして、誘導経路として設定される通路は、利用不可能に設定され、自動運転車両１８が誘導経路の走行を終えて当該通路が解放された場合に、利用可能に設定される。また、駐車場内の全ての通路は、制御部４７により、通路毎（例えば後述するリンク毎）に、利用可能か利用不可能のいずれかに設定される。
【００７２】
このようなＳ２２では、設定しようとする誘導経路（例えば、最短距離になる誘導経路、遠回りになる誘導経路等）の全てが他の自動運転車両１８に設定された誘導経路と重複すると、誘導経路の設定ができない。目標位置までの誘導経路として複数の経路が存在する場合があるが、他の自動運転車両１８の誘導経路次第では、いずれの誘導経路も他の自動運転車両１８の誘導経路と重複し、Ｓ２２で誘導経路を設定できない場合がある。そこで、経路生成部４７Ａは、Ｓ３１で、当該自動運転車両１８のための誘導経路の設定ができたか否かを判定する。
【００７３】
誘導経路の設定ができない場合には、経路生成部４７Ａは、Ｓ３２で、予め設定された所定時間だけ待機し、その後、Ｓ２２に戻り、再度、誘導経路の設定を試みる。ここでは、直ちに誘導経路を再設定してもよいが、管理装置３９の処理負荷を軽減するために、本実施形態では所定時間待機してから誘導経路を再設定する。
【００７４】
本実施形態では、後述するＳ３５で、他の自動運転車両１８の走行後の誘導経路が直ちに解放される。このため、経路生成部４７Ａが所定時間待機後に誘導経路を再設定すれば、誘導経路が設定できる確率が高まり、誘導経路が設定されないことを繰り返すという無駄な処理が繰り返されることを抑制できる。
【００７５】
誘導経路の設定ができた場合には、経路送信部４７Ｂは、Ｓ２３で、前記Ｓ２２で設定した誘導経路を表す情報（以下では誘導経路情報とする）を、通信部４９を用いて送信する。後述するように、自動運転車両１８は、誘導経路情報を受信し、誘導経路に従う自動運転が開始される。
【００７６】
続いて、管理装置３９の位置取得部４７Ｄは、Ｓ２４で、自動運転車両１８の位置情報を取得する。つまり、位置取得部４７Ｄは、駐車完了通知を受信するまで、複数の自動運転車両１８の位置情報を繰り返し受信する。
【００７７】
続いて、Ｓ３５で、経路除外部４７Ｃは、走行済経路を解放する。つまり、経路除外部４７Ｃは、当該駐車場内の誘導経路に設定された通路のうちの、自動運転車両１８が走行済みである部分を、自動運転車両１８の現在地から特定し、その部分を誘導経路から除外する。より詳細には、経路除外部４７Ｃは、地図情報にて、利用不可能に設定されていた通路のうちの、自動運転車両１８が走行済みの部分の設定を、利用可能に変更する。この結果、自動運転車両１８が走行済みである部分は、他の自動運転車両１８の誘導経路として利用できるようになる。
【００７８】
続いて、経路生成部４７Ａは、Ｓ２８で、通信部４９が駐車完了通知を受信したか否かを判定する。駐車完了通知は、自動運転車両１８が誘導経路の終点である目標位置、この場合では駐車位置、に駐車されたとき、自動運転車両１８が送信する通知である。駐車完了通知を受信した場合、本処理は終了する。駐車完了通知を受信しなかった場合、本処理はＳ２４に戻る。
【００７９】
経路生成部４７Ａが実行する、駐車場内の通路の利用可能または利用不可能の設定、誘導経路の設定、走行済経路の解放について、図１４Ａから図１４Ｄを用いて説明する。図１４Ａから図１４Ｄは、駐車場内の通路が利用可能か否かを概念的に示している。駐車場内の各通路は、ノードとリンクから構成される。図１４Ａから図１４Ｄでは、便宜上、ノードＮ１からノードＮ９が記載してある。
【００８０】
図１４Ａから図１４Ｄで、車両Ａは、入庫車室３から目標駐車位置へ移動する自動運転車両１８である。車両Ｂは、駐車スペースの所定位置から出庫車室５へ移動する自動運転車両１８である。車両Ｃは、駐車スペースの所定位置から出庫車室５へ移動する自動運転車両１８である。
【００８１】
メモリ５３にて格納されている当該駐車場における地図情報には、通路毎に誘導経路として利用可能か否かが対応付けられている。メモリ５３には、隣接するノード間の通路（リンクとも呼ぶ）が誘導経路として利用できるか否かの情報（フラグとも呼ぶ）が記憶される。図１４Ａから図１４Ｄでは、ノード間の通路が利用可能に設定されている場合を点線で表示し、利用不可能に設定されている場合を、実線で表示している。さらに、メモリ５３は車両Ａ，Ｂ，Ｃ等と誘導経路とを対応づけて記憶している。
【００８２】
図１４Ａでは、誘導経路は一切設定されていないので、全ての通路が利用可能である。
【００８３】
図１４Ｂでは、駐車場内には車両Ｂと車両Ｃがすでに走行しており、車両Ａは入庫車室にあり車両Ａの誘導経路が設定される前の状況である。車両Ｂと車両Ｃのそれぞれの誘導経路も重複しないように設定されている。車両Ｂと車両Ｃの誘導経路は、それぞれ図２の経路Ｂ１と経路Ｃ２に相当する。ノードＮ１からノードＮ４, Ｎ５を含む通路は利用不可能に設定される。ノードＮ７からノードＮ８, Ｎ９を含む通路は利用不可能に設定される。
【００８４】
Ｓ２２にて、経路生成部４７Ａが車両Ａの誘導経路を設定する場合、経路生成部４７Ａは、利用可能な通路のみ、つまり、図１４Ｂにおいて点線で表示される通路のみ、を繋いで目標位置に到着する経路を設定する。例えば、図１４Ｂでは、ノードＮ２、Ｎ３を経る誘導経路、図２の経路Ａ２に相当する誘導経路が設定される。この場合、経路生成部４７Ａは、図１４Ｃで示すように、当該経路に含まれる通路を利用不可能に設定する。
【００８５】
Ｓ３５で、経路除外部４７Ｃは走行済経路を解放する。図１４Ｄを用いて、走行済経路の解放について説明する。
【００８６】
図１４Ｄでは、車両Ａ，車両Ｂ、車両Ｃが、それぞれ経路生成部４７Ａにより設定された誘導経路に沿って、自動運転している。各車両は駐車完了と判定するまで、位置情報を定期的に管理装置３９に繰り返し送信する。よって、管理装置３９は、車両に対して設定した誘導経路と、当該車両の現在位置より、それぞれの誘導経路のうち、車両が既に通過した通路を特定することができる。例えば、現在位置とノードを比較し、車両がノードを通過したと判断した場合に、走行済みの通路（例えば、走行済みのリンク及びノード）を利用可能に変更する。
【００８７】
経路除外部４７Ｃは、それぞれの車両について、車両が既に通過した通路を特定し、メモリ５３の地図情報において、利用不可能に設定されていた通路のうち、車両が走行済みの部分の設定を利用可能に変更する。
【００８８】
図１４Ｄでは、車両ＢはノードＮ４とノードＮ５の間に位置し、ノードＮ１からノードＮ４までの通路は利用可能に変更されている。車両ＣはノードＮ８とノードＮ９の間に位置し、ノードＮ７からノードＮ８までの通路は利用可能に変更されている。ノードＮ１とノードＮ２の間は、車両Ａが入庫車室から走行開始した時点では利用不可能と設定されていたが、図１４Ｄでは利用可能に設定されている。
【００８９】
Ｓ３１で、当該自動運転車両１８のための誘導経路の設定ができたか否かを判定する。誘導経路生成部４７Ａが、誘導経路を設定できない場合には、Ｓ３２で予め設定された所定時間だけ待機する。待機時間中も、経路除外部４７Ｃは走行済経路を解放する。駐車場内の各通路が利用可能か否かの情報は、車両の走行とともに更新され続ける。よって、所定時間後に、再び経路生成部４７Ａが当該自動運転車両１８のための誘導経路の設定を試みると、重複しない誘導経路を設定できる可能性がある。
【００９０】
なお、Ｓ３５にて、走行済経路を開放した場合、経路除外部４７Ｃは利用不可能に設定されていた通路が利用可能に変更された旨を経路生成部４７Ａに送信してもよい。走行済経路が解放されたことをトリガとして、経路生成部４７Ａは、Ｓ３２で待機中の車両に対して、誘導経路の再設定（Ｓ２２）を実行するよう構成してもよい。このような構成によれば、車両の待機時間を短くすることができる。
【００９１】
なお、図１４Ａから図１４Ｄでは、各駐車枠に対応してノードとリンクとがあるとした。しかし、通路毎に誘導経路として利用可能か否かが対応付ける方法はこれに限らない。駐車場内を複数のエリアに区切り、エリア毎に利用可能か否かを設定してもよい。通路を所定距離ごとに分割し、利用可能か否かを設定してもよい。
【００９２】
［２−２−３．自動運転車両１８が実行する自動駐車処理］
自動運転車両１８が実行する自動駐車処理を、図１０を用いて説明する。自動駐車処理は、管理装置３９が実行する駐車設定処理に応じて、自動運転車両１８が、入庫車室３から駐車位置まで自動運転する処理である。
【００９３】
自動運転車両１８の制御部６９は、Ｓ４０で、当該駐車場の地図情報を通信部７５が受信したか否かを判定する。また、地図情報を受信していない場合、Ｓ４０に戻る。
【００９４】
地図情報を受信した場合、Ｓ４１に移行し、制御部６９は、自動運転車両１８の現在地を推定する。そして、Ｓ４２で、現在地の推定結果を自動運転車両１８の位置情報として、管理装置３９に送信する。
【００９５】
続いて制御部６９は、Ｓ４７で、誘導経路情報を受信したか否かを判定する。Ｓ４７で、誘導経路情報を受信していなければ、Ｓ４７に戻る。
【００９６】
誘導経路情報を受信していれば、制御部６９は、Ｓ５１で、自動運転車両１８の自動運転を開始する。自動運転を行うとき、制御部６９は、誘導経路情報に含まれる誘導経路に従って、自動運転車両１８を走行させる。
【００９７】
続いて、制御部６９は、Ｓ５５で、自動運転車両１８の自動運転を継続する。この際、制御部６９は、後述するＳ５７で駐車完了と判定するまで、自動運転車両１８の位置情報を管理装置３９に繰り返し送信する。送信された位置情報は、管理装置３９により受信される。
【００９８】
続いて、制御部６９は、Ｓ５７で、駐車が完了したか否かを判定する。駐車が完了するとは、管理装置３９に設定された駐車位置に自動運転車両１８が到着することである。駐車が完了していない場合、Ｓ５５に戻る。
【００９９】
駐車が完了した場合、Ｓ５８に移行し、制御部６９は、通信部７５を用いて、駐車完了通知を送信し、本処理を終了する。なお、管理装置３９は、送信された駐車完了通知を受信する。
【０１００】
［２−２−４．管理装置３９が実行する出庫設定処理］
管理装置３９が実行する出庫設定処理を、図１１に基づき説明する。出庫設定処理は、自動運転車両１８の自走により、自動運転車両１８を、駐車位置から出庫車室５に移動させる処理である。なお、本処理のうちのＳ３以降の処理は、出庫要求があった自動運転車両１８毎に実行される。
【０１０１】
出庫設定処理は、管理装置３９の制御部４７が、例えば、他の処理とは並列で繰り返し実施する処理である。出庫設定処理では、まず、Ｓ６１で、経路生成部４７Ａは、出庫要求信号を受信したか否かを判定する。ここで、出庫要求信号とは、自動運転車両１８を駐車位置から出庫車室５に移動させる要求を示す信号であり、端末装置４３をユーザが操作して出庫要求を入力すると、端末装置４３が管理装置３９に対して出庫要求信号を送信する。
【０１０２】
出庫要求信号がなければ、本処理はＳ６１を繰り返す。また、出庫要求信号があれば、前述のＳ３の処理を実施する。続いて、本処理はＳ６２に移行し、非重複出庫処理を実施する。非重複出庫処理は、他の自動運転車両１８の誘導経路と重複しない誘導経路を生成し、この誘導経路で当該自動運転車両１８を出庫車室５まで移動させる処理である。非重複出庫処理が終了すると、管理装置３９は、出庫設定処理を終了する。
【０１０３】
［２−２−５．非重複出庫処理］
管理装置３９が実行する非重複出庫処理を、図１２に基づき説明する。非重複出庫処理では、図１２に示すように、前述した非重複入庫処理（図９）のうちの、Ｓ２１〜Ｓ２４、Ｓ３１〜Ｓ３２、Ｓ３５を実施する。ただし、Ｓ２１で、経路生成部４７Ａは、目標位置として、出庫車室５のうちの１つの区画を選定する。また、Ｓ２２での誘導経路の設定は、自動運転車両１８が出庫車室５までの自動運転を開始する前、つまり、自動運転車両１８の停車中に実施される。
【０１０４】
Ｓ３５に続いて、経路生成部４７Ａは、Ｓ６６で、出庫完了通知を受信したか否かを判定する。出庫完了通知は、自動運転車両１８が自走により目標位置である出庫車室５に到着したときに、自動運転車両１８から送信される通知である。
【０１０５】
経路生成部４７Ａは、出庫完了通知を受信していなければ、Ｓ２４の処理に戻り、出庫完了通知を受信していれば、本処理を終了する。
【０１０６】
［２−２−６．自動運転車両１８が実行する自動出庫処理］
自動運転車両１８が実行する自動出庫処理を、図１３に基づき説明する。自動出庫処理は、管理装置３９が実行する出庫設定処理に応じて、自動運転車両１８を、駐車位置から出庫車室５まで走行させる処理である。
【０１０７】
自動出庫処理では、図１３に示すように、前述した自動出庫処理のうちの、Ｓ４７、Ｓ５１、Ｓ５５の処理を実施する。Ｓ５５の後、制御部６９は、Ｓ７１で、出庫が完了したか否かを判定する。自動運転車両１８が目標位置である出庫車室５に到着したことを検知すると、制御部６９は出庫が完了したと判定する。
【０１０８】
出庫が完了していなければ、Ｓ５５に戻る。また、出庫が完了していれば、制御部６９は、Ｓ７２で、出庫完了通知を管理装置３９に送信し、自動出庫処理を終了する。
【０１０９】
［２−３．効果］
以上詳述した実施形態によれば、以下の効果を奏する。
【０１１０】
（２ａ）本開示の一態様は、車両の駐車を支援するように構成された管理装置３９である。駐車場内で、当該管理装置３９が生成する誘導経路に従って自動運転を実施可能に構成された複数の車両を複数の自動運転車両１８とする。管理装置３９は、経路生成部４７Ａと、経路送信部４７Ｂと、を備える。
【０１１１】
経路生成部４７Ａは、複数の自動運転車両１８のそれぞれについて、他の自動運転車両１８の誘導経路と重複しないように誘導経路をそれぞれ生成するように構成される。経路送信部４７Ｂは、誘導経路が生成されると、当該誘導経路で走行する自動運転車両１８に当該誘導経路を送信するように構成される。
【０１１２】
このような構成によれば、誘導経路を生成する際に、他の自動運転車両１８の誘導経路と重複しないようにするので、より安全に自動運転車両１８を誘導することができる。自動運転車両１８が自動運転を開始する前に、他の自動運転車両１８とは重複しない誘導経路が設定されるので、通信遅延等により管理装置が正確に自動運転車両の位置を把握できない場合が発生したとしても、複数の自動運転車両１８をより安全に誘導できる。
【０１１３】
（２ｂ）本開示の一態様では、既に生成された他の自動運転車両１８の誘導経路を第１誘導経路として、経路生成部４７Ａは、新たに駐車の支援を要求された自動運転車両１８に対する誘導経路について、第１誘導経路と重複しない誘導経路である第２誘導経路を生成する。
【０１１４】
このような構成によれば、既に他の自動運転車両１８の誘導経路である第１誘導経路が存在する場合、この第１誘導経路を避けて、新たに第２誘導経路を生成することができる。
【０１１５】
（２ｃ）本開示の一態様では、経路除外部４７Ｃは、他の自動運転車両１８が走行し終えた第１誘導経路を、第１誘導経路から除外するように構成される。経路生成部４７Ａは、第２誘導経路を生成できない場合、再度、第２誘導経路を生成するように構成される。
【０１１６】
このような構成によれば、第２誘導経路が生成できない場合、第１誘導経路の少なくとも一部が第１誘導経路から除外されることを待って、再度、第２誘導経路を生成することができる。よって、第２誘導経路が生成できない場合であっても、その後、第２誘導経路が生成を生成しやすくすることができる。
【０１１７】
（２ｄ）本開示の一態様では、位置取得部４７Ｄは、複数の自動運転車両１８の位置情報を繰り返し受信するように構成される。経路除外部４７Ｃは、位置情報に基づいて、第１誘導経路のうちの他の自動運転車両１８が走行し終えた部分を特定し、該部分を第１誘導経路から除外するように構成される。
【０１１８】
このような構成によれば、他の自動運転車両１８が第１誘導経路の全ての走行を終えるまでに、走行した部分について他の自動運転車両１８の走行が可能となるため、第２誘導経路が生成できない場合に、第２誘導経路が速やかに生成できるようにすることができる。
【０１１９】
（２ｅ）本開示の一態様では、経路生成部４７Ａは、駐車場内における複数の通路の位置が含まれる地図情報において、第１誘導経路に設定された通路を走行できない通路として設定し、走行できない通路を利用しないように第２誘導経路を設定するように構成される。
【０１２０】
このような構成によれば、地図情報を用いて具体的に第２誘導経路を設定する構成を実現してもよい。また、このような構成によれば、複数の誘導経路の重複があるか否かを判定することは不要となる。よって、複数の誘導経路が重複した場合に必要とされる誘導経路の再設定も不要である。管理装置３９が自動運転車両１８の誘導経路を生成する回数を減少でき、処理負荷を低下させることができる。
【０１２１】
（２ｆ）本開示の一態様では、経路生成部４７Ａは、自動運転車両１８が駐車エリアから乗車エリアへの自動運転を開始する前に、他の自動運転車両１８の誘導経路とは重複しない、自動運転車両１８の誘導経路を生成し、該生成した誘導経路を自動運転車両１８に送信するように構成される。
【０１２２】
このような構成によれば、自動運転車両１８が自動運転を開始する前に、誘導経路を自動運転車両１８に送信するので、安全に自動運転車両１８に誘導経路を送信することができる。
【０１２３】
（２ｇ）複数の自動運転車両１８は、第１車両（例えば、図５の誘導経路Ｂ１が設定された自動運転車両１８）と第２車両（例えば、図５の誘導経路Ａ２が設定された自動運転車両１８）とを含み、第１車両に対する誘導経路が生成されたのちに、第２車両が駐車の支援を要求した場合、経路生成部４７Ａは、第１車両に対する誘導経路を変更することなく、第２車両の誘導経路が、第１車両に対する誘導経路と重複しないように生成するように構成される。
【０１２４】
このような構成によれば、第１車両の走行に影響を与えることなく、第２車両を新たに自動運転させることができる。
【０１２５】
［３．他の実施形態］
以上、本開示の実施形態について説明したが、本開示は前述の実施形態に限定されることなく、種々変形して実施することができる。
【０１２６】
（３ａ）上記実施形態では、入庫及び出庫について説明したが、これに限定されるものではない。例えば、自動運転車両１８を駐車場内の他の駐車位置に移動させる際に、上記構成を適用してもよい。詳細には、管理装置３９は、図１２の出庫設定処理のＳ６１で、出庫要求信号を受けた場合だけでなく、移動要求信号を受けた場合にも、Ｓ３以下の処理を実施するとよい。
【０１２７】
移動要求信号は、駐車要求信号又は出庫要求信号を受けた際に、入出庫する車両以外の車両を移動させなければ入出庫ができない場合に、入出庫する車両以外の車両を対象として管理装置３９の内部にて生成される。
【０１２８】
（３ｂ）上記実施形態では、経路生成部４７Ａが、先に設定された誘導経路を避けて、後から設定される誘導経路を設定したが、この構成に限られない。例えば、先に設定された誘導経路との重複を許容する誘導経路を後から設定し、さらにその後、先に設定されていた誘導経路を後から設定された誘導経路と重複しないように変更してもよい。
【０１２９】
この場合には、例えば、図５に示すように、異常がある自動運転車両１８の誘導経路としてＡ１が設定された後に、他の自動運転車両１８の誘導経路である経路Ｂ１やＢ２が設定された場合、経路Ａ１は経路Ａ２等に変更される。Ａ１がＢ１及びＢ２に重複し、この重複を避けるためである。この際、経路Ａ２は、経路Ｂ３とも重複を避けて設定される。
【０１３０】
（３ｃ）上記実施形態では、駐車要求、出庫要求等の要求に応じて、要求の対象となる自動運転車両１８の誘導経路を順次設定したが、この構成に限られない。例えば、ある要求を受けると、要求とは直接的には無関係な複数の自動運転車両１８についての誘導経路を、同時に設定してもよい。この構成は、設定済みの誘導経路を変更する場合等に有用である。
【０１３１】
（３ｄ）上記実施形態では、経路除外部４７Ｃは、誘導経路のうちの自動運転車両１８が走行を終えた部分を、逐次、利用可能に設定したが、この構成に限られない。例えば、誘導経路の走行を終えると、誘導経路を単位として、他の自動運転車両１８が走行し終えた誘導経路を、誘導経路から除外し、利用可能に設定してもよい。この場合、経路除外部４７Ｃは、駐車完了通知、及び到着通知を受信すると、該通知が対応する誘導経路を削除するとよい。
【０１３２】
（３ｅ）上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加又は置換してもよい。
【０１３３】
（３ｆ）前述した駐車支援システム１の他、当該駐車支援システム１の構成要素となる管理装置３９、当該管理装置３９等としてコンピュータを機能させるためのプログラム、このプログラムを記録した半導体メモリ等の非遷移的実態的記録媒体、駐車支援方法など、種々の形態で本開示を実現することもできる。
【図１】
2021020092.tif 000003
【図２】
2021020092.tif 000004
【図３】
2021020092.tif 000005
【図４】
2021020092.tif 000006
【図５】
2021020092.tif 000007
【図６】
2021020092.tif 000008
【図７】
2021020092.tif 000009
【図８】
2021020092.tif 000010
【図９】
2021020092.tif 000011
【図１０】
2021020092.tif 000012
【図１１】
2021020092.tif 000013
【図１２】
2021020092.tif 000014
【図１３】
2021020092.tif 000015
【図１４Ａ】
2021020092.tif 000016
【図１４Ｂ】
2021020092.tif 000017
【図１４Ｃ】
2021020092.tif 000018
【図１４Ｄ】
2021020092.tif 000019
【手続補正書】
【提出日】令和3年6月30日(2021.6.30)
【手続補正１】
【補正対象書類名】特許請求の範囲
【補正対象項目名】全文
【補正方法】変更
【補正の内容】
【特許請求の範囲】
【請求項１】
車両の駐車を支援するように構成された駐車支援装置（３９）であって、
駐車場内で、当該駐車支援装置が生成する誘導経路に従って自動運転を実施可能に構成された複数の車両を複数の自動運転車両（１８）として、
前記複数の自動運転車両のそれぞれについて、他の自動運転車両の誘導経路と重複しないように前記誘導経路をそれぞれ生成するように構成された経路生成部（４７Ａ：Ｓ２２）と、
前記誘導経路が生成されると、当該誘導経路で走行する自動運転車両に当該誘導経路を送信するように構成された経路送信部（４７Ｂ：Ｓ２３）と、
を備え、
前記経路生成部は、設定しようとする誘導経路が他の自動運転車両の誘導経路と重複する場合、誘導経路を生成しない
ように構成された駐車支援装置。
【請求項２】
請求項１に記載の駐車支援装置であって、
前記経路生成部は、前記誘導経路を生成しない場合、所定時間待機して誘導経路を再設定する
ように構成された駐車支援装置。
【請求項３】
請求項１又は請求項２に記載の駐車支援装置であって、
既に生成された他の自動運転車両の誘導経路を第１誘導経路として、
前記経路生成部は、新たに駐車の支援を要求された自動運転車両に対する誘導経路について、前記第１誘導経路と重複しない誘導経路である第２誘導経路を生成する
ように構成された駐車支援装置。
【請求項４】
請求項３に記載の駐車支援装置であって、
前記他の自動運転車両が走行し終えた第１誘導経路を、前記第１誘導経路から除外するように構成された経路除外部（４７Ｃ：Ｓ３５）
をさらに備え、
前記経路生成部は、前記第２誘導経路を生成できない場合、再度、前記第２誘導経路を生成する
ように構成された駐車支援装置。
【請求項５】
請求項４に記載の駐車支援装置であって、
前記複数の自動運転車両の位置情報を繰り返し受信するように構成された位置取得部（４７Ｄ：Ｓ２４）、
をさらに備え、
前記経路除外部は、前記位置情報に基づいて、前記第１誘導経路のうちの前記他の自動運転車両が走行し終えた部分を特定し、該部分を前記第１誘導経路から除外する
ように構成された駐車支援装置。
【請求項６】
請求項３〜請求項５の何れか１項に記載の駐車支援装置であって、
前記経路生成部は、前記駐車場内における複数の通路の位置が含まれる地図情報において、前記第１誘導経路に設定された通路を走行できない通路として設定し、前記走行できない通路を利用しないように前記第２誘導経路を設定する
ように構成された駐車支援装置。
【請求項７】
請求項１に記載の駐車支援装置であって、
前記駐車場は、ユーザが前記自動運転車両より降車する降車エリア、前記自動運転車両が駐車される駐車エリア、ユーザが前記自動運転車両に乗車する乗車エリアを含み、
前記経路生成部は、
前記自動運転車両が前記降車エリアから前記駐車エリアへの自動運転を開始する前に、前記他の自動運転車両の誘導経路とは重複しない、前記自動運転車両の誘導経路を生成し、該生成した誘導経路を前記自動運転車両に送信する
ように構成された駐車支援装置。
【請求項８】
請求項７に記載の駐車支援装置であって、
前記経路生成部は、前記自動運転車両が前記駐車エリアから前記乗車エリアへの自動運転を開始する前に、前記他の自動運転車両の誘導経路とは重複しない、前記自動運転車両の誘導経路を生成し、該生成した誘導経路を前記自動運転車両に送信する、
ように構成された駐車支援装置。
【請求項９】
請求項１に記載の駐車支援装置であって、
前記複数の自動運転車両は、第１車両と第２車両とを含み、
前記第１車両に対する誘導経路が生成されたのちに、前記第２車両が駐車の支援を要求した場合、前記経路生成部は、前記第１車両に対する誘導経路を変更することなく、前記第２車両の誘導経路が、前記第１車両に対する誘導経路と重複しないように生成する
ように構成された駐車支援装置。
【請求項１０】
請求項３〜請求項５の何れか１項に記載の駐車支援装置であって、
前記駐車場の地図情報を記憶するように構成されたメモリをさらに備え、
前記メモリに記憶された地図情報には、前記駐車場の通路毎に誘導経路として利用可能か否かが対応付けられ、
前記経路生成部は、前記第１誘導経路に含まれる通路を利用不可能に設定し、前記駐車場の通路のうち、前記第１誘導経路に含まれない通路を利用可能に設定し、
前記経路生成部は、利用可能と設定される通路のみによって前記第２誘導経路を生成する
ように構成された駐車支援装置。
【請求項１１】
車両の駐車を支援するように構成された駐車支援装置（３９）が実行する駐車支援方法であって、
駐車場内で、当該駐車支援装置が生成する誘導経路に従って自動運転を実施可能に構成された複数の車両を複数の自動運転車両（１８）として、
前記複数の自動運転車両のそれぞれについて、他の自動運転車両の誘導経路と重複しないように前記誘導経路をそれぞれ生成し、設定しようとする誘導経路が他の自動運転車両の誘導経路と重複する場合、誘導経路を生成しないようにし（Ｓ２２）、
前記誘導経路が生成されると、当該誘導経路で走行する自動運転車両に当該誘導経路を送信する（４７Ｂ：Ｓ２３）、
駐車支援方法。
【国際調査報告】
2021020092.tif 000020
2021020092.tif 000021
2021020092.tif 000022
2021020092.tif 000023